(57)【特許請求の範囲】
【請求項１】
操作盤の開口部に嵌合して取り付けられるボタンケースと、前記ボタンケース内に出没可能に取り付けられる押圧部と、前記押圧部の下方に配置されるスイッチ基板と、前記押圧部の下方のスイッチ基板上に配置される発光部と、前記発光部の周囲の前記スイッチ基板上に配置されるスイッチ素子と、前記押圧部に受ける応力を前記スイッチ素子に伝達するとともに、前記発光部の光を前記開口部側に反射するように配置される反射板と、前記押圧部と前記スイッチ基板を離す方向に作用するバネとを含んで構成される複数の操作スイッチを備えた操作盤であって、
前記ボタンケースから露出する前記押圧部には文字表示面が形成され、
前記文字表示面には、この文字表示面から突出する文字部が形成され、
前記文字部は、
前記文字部の前記文字表示面側に形成されるベース面と、
前記文字部の最頂部に形成されるトップ面と、
前記ベース面と前記トップ面の間に形成される傾斜面を有し、
前記文字部の断面は前記トップ面側にかけて先細りの断面である
ことを特徴とするエレベーター用操作盤。
【請求項２】
前記請求項１記載の操作盤において、
前記文字表示面は透光性素材で形成され、前記文字部は非透光性素材で形成されている
ことを特徴とするエレベーター用操作盤。
【発明の詳細な説明】
【０００１】
【発明の属する技術分野】
本発明は、健常者には視認性が良好で、視覚障害者には指などによる触覚での認識が良好な文字板に関するものであり、特に、エレベータ等の操作盤に使用される文字板に関するものである。
【０００２】
【従来の技術】
従来より、各種の公共機器に使用される操作盤においては、あらゆる利用者にとって使いやすい操作盤が必要不可欠となっている。例えば、エレベータの操作盤に採用される階表示ボタンは、健常者には視認性が良好で、視覚障害者には指などによる触覚での認識が良好な文字表示が求められている。
【０００３】
従来技術においては、容器の特定箇所に凸文字（符号を含む）を設けて指などによる触覚認識でその容器の種目を認識する技術が普及している。
【０００４】
また、公共機器においては、前記課題を解決するために、前記操作盤に使用される操作ボタンの凹凸を工夫したり、あるいは、文字を１ｍｍ程度周囲のボタン面から隆起させた凸文字や点字と文字を併用して使用しているものが知られている。
【０００５】
前記従来例としては、例えば、特開２００１−２４７１５３号や特開平８−７３１４５号などがある。
【０００６】
【発明が解決しようとする課題】
前記エレベータの分野においては、米国において、視覚障害者の便宜を図るため、操作盤のボタンの横に文字の高さ１５ｍｍ以上の凸文字からなる階床数字等を配置することが規定されている（ＡＤＡ法）。視認性を向上するには文字の高さは１５ｍｍよりも大きいほど視認性がよいのはいうまでもない。
しかし、凸文字の高さに比例して凸文字の突起している部分の線幅が太くなると、指などによる触覚での認識がしづらくなるという課題がある。
【０００７】
そこで、本発明の目的とするところは、視認性が良好で、かつ、指などによる触覚での認識が良好な文字を利用した操作盤を提供することにある。
【０００８】
【課題を解決するための手段】
この発明の操作盤では、前記課題を解決するために、文字表示面から突出する凸状の文字部を形成し、前記文字部の前記文字表示面側のベース面の文字幅を、前記文字部の最頂部に形成するトップ面の文字幅より大きくする。
【０００９】
【発明の実施の形態】
以下、図１から図１０を参照して、本発明に係る実施の形態を詳細に説明する。なお、同一部位や矢印、方向などは同一符号などで示し、重複した説明を省略する。
【００１０】
図１から図８は第１の実施の形態に係るエレベータの操作盤、図９、図１０は他の応用例を示している。
【００１１】
先ず、図１を参照して、第１の実施の形態に係るエレベータの操作盤に採用される文字板の概要を説明する。図１は、第１の実施の形態に係る操作スイッチの構造図であり、（ａ）図が部分断面を含む操作スイッチの斜視図、（ｂ）図は操作スイッチの平面図を示している。
【００１２】
図１において、符号１で総括的に示すのは、この実施の形態に係る操作盤用の操作スイッチである。この操作スイッチ１は、操作盤１００に形成される複数の開口部１０１に取り付けられ、エレベータ１５０の運転に関する特定の操作指示、例えば、各階の停止や扉の開閉等を指示するためのものである。
【００１３】
前記操作スイッチ１は、前記開口部１０１に嵌合して取り付けられるボタンケース２と、前記ボタンケース２内に出没可能に取り付けられる押圧部３と、前記押圧部３の下方に配置されるスイッチ基板４と、前記押圧部３の下方のスイッチ基板４上に配置される発光部５と、前記発光部５の周囲の前記スイッチ基板４上に配置されるスイッチ素子６と、前記押圧部３に受ける応力を前記スイッチ素子６に伝達するとともに、前記発光部５の光を前記開口部１０１側に反射するように配置される反射板７と、前記押圧部３と前記スイッチ基板４を離す方向に作用する図示しないバネとを含んで構成される。
【００１４】
また、前記押圧部３は、その上面に略フラットな文字表示面８を備えるとともに、通常の状態において、この文字表示面８が前記操作基盤面１００ａと略面一となるように配置され、この文字表示面８を使用者が指などで前記ボタンケース２内に押し込むことにより、この文字表示面８を備える前記押圧部３が前記反射板７を介して前記スイッチ素子６をＯＦＦ状態からＯＮ状態に操作することができる。このＯＮ状態においては、前記発光部５が点灯状態となる。
【００１５】
ここで、前記文字表示面８は、アクリル材料などの透光性を有する樹脂材料で形成される。前記文字表示面８には、この文字表示面８より隆起して形成または配置される凸文字９が設けられる。この凸文字９は前記周囲の文字表示面８と透過度の異なる材料または透過度を異なるようにする塗装や表面処理あるいはシート等が付される。
【００１６】
このため、前記ＯＮ状態において、前記発行部５が点灯すると、前記凸文字９が周囲の透光性のある文字表示面８に対して光を遮蔽するので、この凸文字９が前記文字表示面８上に浮きあがって、ＯＮ状態であることを明確に識別させることができる。
【００１７】
また、この実施の形態の最も大きな特徴は、前記凸文字９の断面形状を略台形状に形成している点である。即ち、この実施の形態では、前記凸文字９のベース面１０（前記台形状の底辺）より、トップ面１１（前記台形状の上面）を小さく形成する。これにより、健常者が視覚的にこの凸文字９を認識する場合には、広い面積を備える前記ベース面１０により、この凸文字９を認識させることができる。一方、視覚障害者が指などでこの凸文字９を接触的に認識する場合は、小さな面積を備える前記トップ面１１により、この凸文字９を認識させることができる。
【００１８】
この種の設備機器においては、使用者に前記凸文字９を認識しやすくさせるためには、可能な範囲で大きく形成することが望ましい。例えば、エレベータにおいては、かご内のどこからでも前記凸文字９を認識できる程度の大きさの文字であることが望まれる。もちろん、複数の操作スイッチ１を備えるエレベータの操作盤１００においては、大きければ良いというものではなく、装置全体の小型化を考慮する必要がある。
【００１９】
例えば、米国のエレベータの規格においては、操作盤１００に使われる文字の高さ寸法Ｈ０を１５ｍｍ以上とすることが規定されている。しかし一方では、これらの公共性の強い設備機器においては、視覚障害者への配慮が必要である。一般に、これら設備機器においては、点字を併用しているが、文字自体を隆起させた凸文字を採用することも視覚障害者の指による触覚認識に大いに役立たせることができる。しかし、この凸文字は、触覚面積（接触面積）が大きすぎると指による触覚認識がしづらくなる課題がある。
【００２０】
この実施の形態では、前記凸文字９の断面形状を前記ベース面１０からトップ面１１へ先細りとすることにより、視認性と触覚（接触）による認識性を向上させることができる。
【００２１】
以下、図２から図５を参照して、更に詳細にこの実施の形態に係る操作スイッチ１を説明する。先ず、図２を参照して、この操作スイッチ１が採用されるエレベータの操作盤の概略構造を説明する。図２はエレベータの外観図を示すものであり、（ａ）図が扉と対向する壁面を取り除いてかご内をみた室内外観図、（ｂ）図が第１操作盤の正面拡大図、（ｃ）図が第２操作盤の正面拡大図である。
【００２２】
図２において、符号１５０で示すエレベータのかごは、立方体形状の室内を備え、その周側面の一方に出入口１５１が設けられている。この出入口１５１を構成する壁面の一方に第１操作盤１５２が設けられており、第１操作盤は主として立ち姿勢での操作に使用される。また、前記出入口１５１を備えた周側面と隣接する両周側面には手すり１５３と第２操作盤１５４が設けられる。第２操作盤は主として車いす利用者による操作を目的としている。更に、天井面には照明装置１５９が設けられている。
【００２３】
前記第１操作盤１５２は、立ち姿勢の利用者に合わせて、壁面の比較的高い位置に縦長に形成される。第１操作盤１５２は、その中央に階表示用の複数の操作スイッチ１が配置され、その上部にスピーカ１５５と非常通話用操作スイッチ１５６が配置される。この実施の形態では、前記階表示用の複数の操作スイッチ１は、階表示用として２列の操作スイッチ１を設け、その下方に一対の開閉用の操作スイッチ１５７を備えている。
【００２４】
また、前記第２操作盤１５４は、立ち姿勢の腰位置近傍に設けられ、やや横長の正面形状を備えている。この実施の形態では、前記第２操作盤１５４の下側に２段の階表示用の複数の操作スイッチ１を備え、上側の一方の片側にスピーカ１５５と非常通話用操作スイッチ１５６を設け、上側の他の片側に表示部１５８と一対の開閉ボタン１５７を配置している。この実施の形態では、階表示用、開閉用、非常通話用の各操作スイッチ１に対して図１で説明した凸文字９を付している。
【００２５】
次に、図３から図５を参照して、凸文字の形状を更に詳細に説明する。図３は、凸文字「４」の具体的形状を示す説明図であり、（ａ）図が正面図、（ｂ）図が断面図である。図４および図５は文字例を示すものであり、図４が数値の事例、図５がアルファベットの一例を示している。
【００２６】
図３において、この実施の形態では、前記凸文字９が前記トップ面１１の両側に傾斜面１２を備えて前記ベース面１０に連続するように形成される。そして、このトップ面１１は略同一幅に形成されるので、指でこのトップ面１１をなぞった際に、幅方向の凹凸感がないので触覚（接触）での認識性を向上させることができる。また、この実施の形態では、前記トップ面１１が前記ベース面１０の幅方向の中央に位置しているので、視覚で認識した場合に、前記トップ面１１が前記ベース面１０に重なって見える（斜め方向から見る）ことが軽減され、そのままベース面１０を見ることができるから、視認性を向上することができる。更に、きれいな文字に仕上げることができる。
【００２７】
また、この凸文字９は、前記文字表示面８から突出寸法Ｔ０張り出して形成され、ベース面１０の文字幅Ｌ０、トップ面１１の文字幅Ｌ１に設定されている。更に、凸文字９の高さをＨ０、前記傾斜面１２の角度をΘに設定している。ここで、この実施の形態では、前記と凸文字９の高さＨ０を１５ｍｍに設定し、前記トップ面１１の文字幅Ｌ１を０．８ｍｍに設定し、更に前記傾斜面１２の角度Θを４５度に設定している。更にまた、前記トップ面１１を前記ベース面１０の文字幅に対して左右方向に同幅の傾斜面１２を形成している。これにより、視覚障害者が指での触りをなるべく均等にすることで触覚感を向上させ、更に見た目の精度感を向上して視覚性を向上させている。
【００２８】
更に、この実施の形態では、凸文字９の端部１３以外の傾斜面１２ａの傾斜面幅Ｚ１を略均等にするとともに、凸文字９の端部１３の傾斜面１２ｂの傾斜面幅Ｚ０を他の傾斜面幅Ｚ１より小さく（前記角度Θを４５度より大きく）形成することで、凸文字９の終わり（端部１３）であることを触覚的に認識しやすくするとともに、視覚的にも凸文字９にアクセントを持たせて視認性を向上させている。
【００２９】
なお、この実施の形態ではΘは４５度としたが、実施の形態としてΘが４５度より大きい形態、例えば突出寸法Ｔ０が１．７３ｍｍ、傾斜面幅Ｚ１が略１ｍｍ、トップ面１１の文字幅Ｌ１が１ｍｍで、傾斜面の角度Θが６０度という形態とすることでより効果を奏することが可能である。
図４において、前記凸文字９の前記傾斜面幅Ｚ０は文字によってのその幅を変化させる。例えば、「１」の場合は、上部左側の筆の入り部分１４は、「７」と区別するためにトップ面１１は設けず、視認性を向上させるためにベース面１０のみ設けるようにする。また、「２」「５」「７」「８」については、前記「４」と同様な手法で端部１３を形成する。また、「３」の中央左側のおり返し部分１５については傾斜面幅Ｚ２を１．５ｍｍとして大きく形成し、同様に、「６」の右上の筆入り部分１６、及び、「９」のおり返し部分１７については、他の傾斜面幅Ｚ１より大きいＺ３（０．８ｍｍ）に設定することで、視認性と触覚による識別性を向上させている。「０」「８」は端部１３が無いので略均等の傾斜面幅Ｚ１とする。
【００３０】
図５に示すアルフアベッドについては、例えば、角のある端部を備えた「Ｐ」「Ｒ」「Ｌ」「Ｍ」については、前記「４」と同様に手法で端部１３を形成する。一方、「Ｇ」の両端部１８については、「６」と同様な手法で形成する。更に「Ｂ」は端部１３がないので略同様な傾斜面１２の幅で形成する。
【００３１】
このように、この実施の形態に係る凸文字９は、Ｈ０が１５ｍｍ以上で、Ｔ０が１ｍｍ以上の時に有効である。しかし、Ｈ０及びＴ０が前記設定より大きいからと言って上限がある。この上限は、実験的見地から、前記Ｌ１が０．５ｍｍより大きく、１．５ｍｍより小さく設定すると触覚による識別が良好である。特に、前記Ｌ１が０．６ｍｍ  ≦  Ｌ１  １．２ｍｍ、あるいは、０．７ｍｍ  ≦  Ｌ１  ０．９ｍｍであればいっそう識別が容易となる。図３の（ｂ）図で示したトップ面１１と傾斜面１２との稜線（角Ｒ）は、エッジを立てる（角Ｒを小さくする）ことでトップ面１１を触覚での識別をし易くすることができる。しかし、必ずしも前記稜線（角Ｒ）を小さくする必要はなく、この角Ｒを大きくしてもトップ面１１の連続感を得るようにすれば同様な効果を得ることができる。
【００３２】
このことから、前記トップ面１１の面積Ｑ１は、前記ベース面１０の面積Ｑ２より小さく、より具体的には面積Ｑ１を面積Ｑ２で割った値が０．５より小さければ、より視認性と触覚により識別性を向上させることができる。
【００３３】
更にこの実施の形態に係る凸文字９では、トップ面の文字幅Ｌ１がベース面の文字幅Ｌ０よりも狭くなっているので、「３」と「８」の触覚における識別時において、「３」の開いている部分の開き幅が大きくなる点でも識別性を向上させることができる。
【００３４】
図６は、前記第1の実施の形態の他の応用例を示し、（ａ）図は操作スイッチ１の断面図、（ｂ）図は正面図を示している。図６において、この実施の形態では、前記押圧部３の周囲を囲むボタンケース２の周囲枠体２ａを前記操作基盤面１００ａより張り出して形成するとともに、前記文字表示面８を前記周囲枠体２ａより落ち込んで形成する。そして、操作スイッチ１の形状を円形に形成する。
【００３５】
この実施の形態によれば、触覚での識別に対し、前記周囲枠体２ａにより明確に操作スイッチ１の所在を識別することができる。しかも、文字表示面８は前記周囲枠体２ａより奥まって形成されるので、誤操作を軽減することができる。したがって、このような操作スイッチ１は、第２操作盤１５４に適している。なお、操作スイッチ１の形状を円形とし、かつ文字表示面８を奥まって形成することで、指のフイット感を向上させることができる。そして、この実施の形態の操作スイッチ１において、前記凸文字９を設けることにより、前記周囲枠体２ａ内の文字を１つの文字として視認性と触覚による識別性を向上させることができる。
【００３６】
また、図７は、凸文字９の製造方法に関する他の実施の形態である。図７は操作スイッチの部分断面図である。図７において、前記図１から図６の実施の形態では、凸文字９を前記周囲の文字表示面８と透過度の異なる材料または透過度を異なるようにする塗装や表面処理あるいはシート等が付されると説明したが、図７の（ａ）図の実施の形態は、前記透明な文字表示面８に不透明な材料で形成される凸文字９を形成した実施の形態である。この実施の形態では、発光部５からの光が前記不透明な凸文字９のベース面１０に反射し、この凸文字９以外の文字表示面８では透過するので、前記凸文字９の視認性を向上させることができる。また、この実施の形態において、前記凸文字９と文字表示面８との間に不透明な図示しないシートを貼り付けることで、前記不透明な凸文字９と同様な効果を得ることができる。また、前記凸文字を色付きの透明材料で形成したり、あるいは色付きの透明シートとすることで、色彩による識別効果を得ることができる。
【００３７】
また（ｂ）図に示すように、前記押圧部３を不透明な材料で形成し、この文字表示面８に文字をくりぬいて、このくりぬいた部分に透明材料で形成される凸文字９を嵌合することにより、凸文字９の部分を光で浮き上がらせて視認性を向上させることができる。
【００３８】
なお、この実施の形態でも、透明と不透明の部分を反転して形成しても良い。また、色付きの透明材料で識別感を違わせて形成しても同様な作用効果を得ることができる。更に、凸文字９と文字表示面８を透光性のある同一材料で形成し、その表面に凸文字８を非透光性、あるいは反転して透光性のある印刷が施されたシートを貼り付けたり、あるいは一体成型することで、前記のような同様な作用効果を得るようにしてもよい。
【００３９】
次に、図８は凸文字の断面形状を説明するものである。（ａ）図がこの実施の形態に係る図１の断面図、（ｂ）図が正三角形状の断面を備えた凸文字、（ｃ）図が円弧形状の断面を備えた凸文字、（ｄ）図が偏った傾斜面を備えた凸文字、（ｅ）図が従来の断面形状を備えた凸文字を示している。
【００４０】
この実施の形態では、前記したように、前記凸文字９の断面形状を前記ベース面１０からトップ面１１へ先細りとすることで、本発明の効果が達成される。したがって、（ａ）図から（ｄ）図に示す凸文字９でも同様な効果を得ることができる。しかし、（ｂ）図の正三角形の断面を持つ凸文字９では、指に線として認識されるので、触覚での認識が落ち、しかも、視覚的にも傾斜面の光の反射が単純になるので視認性でも（ａ）図よりも効果が落ちる。また、（ｃ）図の弧状の断面形状の凸文字９は、指に柔らかな感触で受け止められるので触覚による識別はやや（ａ）図より落ちるが同様な効果を得ることができる。しかし、視覚的には柔らかな文字表現となりシャープな文字表現に劣る。また、（ｄ）図の偏った傾斜面を備えた凸文字９では、（ｂ）図と同様な欠点があり、視覚的にも多様な表現を行うことがし難い。
【００４１】
更に、（ｅ）図では、従来例の凸文字の断面形状をやや誇張して示している。従来の凸文字９’は、１ｍｍ程度の突出寸法の場合は抜きテーパを付けなくとも成形できる。このため、傾斜面を付ける必要がない。（ｅ）図は抜きテーパを誇張して図示しているが、このような突出寸法が小さいと抜きテーパはほとんど識別できない程度のものとなる。この発明では、この（ｅ）図に示す従来の凸文字９’の断面形状とは明確に認識可能な、あるいは意識して形成される傾斜面１２を備えている。これにより、前記したような作用効果を得ることができる。
【００４２】
次に、図９、図１０は他の分野に前記凸文字９を応用したものである。図９は大型の操作キーを備えた電子卓上計算機に採用した外観図、図１０は電車の出入口に号車番号を表したものである。
【００４３】
図９において、近年、各機器においては、大きな操作キー２０１を備えた機器が多くなっている。図９に示すのは、複数の大きな操作キー２０１を備えた電子卓上計算機２００を示している。この電子卓上計算機２００によれば、大きな操作キー２０１により数値を入力して、その結果を大型表示部２０２に表示することができる。このような大型の操作キー２０１に前記凸文字９をキー表面に設けることで前記エレベータの操作キーと同様な作用効果を得ることができる。
【００４４】
また、図１０は、電車３００の出入口３０１の近傍に凸文字９による号車番号３０２を付したものである。この事例では、電車３００への応用例を示したが、同様な作用効果は、部屋の番号や廊下の壁面に掲示される案内盤でも採用することができる。
【００４５】
【発明の効果】
本発明によれば、視認性が良好で、かつ、指などによる触覚での認識が良好な文字を利用した操作盤を提供することができる。
【図面の簡単な説明】
【図１】第１の実施の形態に係る操作スイッチの構造図である。
【図２】第１の実施の形態に係るエレベータかご内装の外観図である。
【図３】凸文字「４」の具体的形状を示す説明図である。
【図４】数値の凸文字の例を表す図である。
【図５】アルファベットの凸文字の一例を表す図である。
【図６】第1の実施の形態の他の応用例を示す図である。
【図７】凸文字の製造方法に関する他の実施の形態を示す図である。
【図８】凸文字の断面形状を説明する図である。
【図９】操作キーに凸文字を採用した電子卓上計算機の外観図である。
【図１０】号車番号表示に凸文字を採用した電車の客車出入口付近の外観図である。
【符号の説明】
１…操作スイッチ、２…ボタンケース、３…押圧部、４…スイッチ基板、５…発光部、６…スイッチ素子、７…反射板、８…文字表示面、９…凸文字、１０…ベース面、１１…トップ面、１２…傾斜面、１２ａ、１２ｂ…傾斜面、１３…端部、１４…筆の入り部分、１５…おり返し部分、１６…筆入り部分、１７…おり返し部分、１８…端部、１５０…エレベータのかご、１００…操作盤、１００ａ…操作基盤面、１０１…開口部、１５０…エレベータ、１５１…出入口、１５２…第１操作盤、１５３…手すり、１５４…第２操作盤、１５５…スピーカ、１５６…非常通話用操作スイッチ、１５７…一対の開閉ボタン、１５８…表示部、１５９…照明装置、Ｚ０…凸文字の端部の傾斜面幅、Ｚ１…凸文字の端部以外の傾斜面幅、Ｈ０…凸文字の高さ、Ｔ０…凸文字の突出寸法、Ｌ０…ベース面の文字幅、Ｌ１…トップ面の文字幅、Ｒ…トップ面と傾斜面との稜線（角）、Ｑ１…トップ面の面積、Ｑ２…ベース面の面積。
【図１】
0003722061.tif 000002
【図２】
0003722061.tif 000003
【図３】
0003722061.tif 000004
【図４】
0003722061.tif 000005
【図５】
0003722061.tif 000006
【図６】
0003722061.tif 000007
【図７】
0003722061.tif 000008
【図８】
0003722061.tif 000009
【図９】
0003722061.tif 000010
【図１０】
0003722061.tif 000011